(57)【要約】      （修正有）【課題】木製枠体又は厚平板に形状体を切り抜いた平板体の内面側に複数のＬＥＤ発光素子が間隔をあけて配置されたＬＥＤテープを用いた幻想的演出映像を投影できるパネル体を提供する。【解決手段】木製の角状部材を使用した枠体２、又は厚平板に形状体を切り抜いた平板体３と、枠体、又は平板体の裏面側に張設けられた反射板５と、枠体、又は平板体の内側面に、テープに複数のＬＥＤ発光素子を配置したＬＥＤテープ６を貼り付けて、枠体、又は平板体の表面側にマジックミラー板４を設けた開閉式の額縁状体になっている幻想的パネル体である。【選択図】図３
0003219537.tif 000002
【実用新案登録請求の範囲】
【請求項１】
木製の角状部材を使用した枠体、又は厚平板に形状体を切り抜いた平板体と、前記枠体、又は前記平板体の裏面側に張設けられた反射板と、前記枠体、又は前記平板体の内側面に、テープに複数のＬＥＤ発光素子を配置されたＬＥＤテープを貼り付けて、前記枠体、又は前記平板体の表面側にマジックミラー板を設けられた開閉式の額縁状体になっていることを特徴とする幻想的パネル体。
【請求項２】
木製の角状部材を使用した枠材、又は厚平板に形状体を切り抜いた平板材は、外形形状として多角形状、円形状、ハート状、星形状、文字形状の形状であって、厚さ２０〜１００ｍｍ、長さを３００〜１８００ｍｍであり、角材部材、及び平板材を２０〜１００ｍｍ厚さの無垢材、合板、ＭＤＦで使用されていることを特徴とする請求項１に記載の幻想的パネル体。
【請求項３】
前記枠体、又は平板体の表面に配設されている２〜７ｍｍ厚さのマジックミラー板を挟持できるように、前記マジックミラー板の表面側に重ねて配置された透明な挟持板を備え、前記マジックミラー板の裏面側に、乳白色のアクリル樹脂板である装飾板が配設され、記枠体、又は平板体の裏面には反射板として、２〜７ｍｍ厚さの鏡体を薄板上に貼り付けて構成されていることを特徴とする請求項１又は請求項２記載の幻想的パネル体。
【請求項４】
前記樹脂製テープにＬＥＤランプ球を１０〜５０ｍｍの間隔で取り付けた１０〜２０ｍｍの前記ＬＥＤテープは、前記枠体、又は切り抜いた平板体の内側面部に幻想的な映像を映し出すような配置に張り付けていることを特徴とする請求項１から請求項３のいずれか１に記載の幻想的パネル体。
【請求項５】
前記パネル体は、幻想な写影が投影されて効果を示すテーブル、テレビボード、マルチボードの家具、および壁掛け装飾具、天井装飾具、建具に使用されることを特徴とする請求項１から請求項４のいずれかに記載の幻想的パネル体。
【考案の詳細な説明】
【技術分野】
【０００１】  本考案は、木製枠体にテープに複数のＬＥＤ発光素子が間隔をあけて配置されたＬＥＤテープを用いた幻想的パネル体に関する。
【背景技術】
【０００２】  発光体を内蔵する電飾パネルは、装飾体や広告媒体として有用であり、様々なものが用いられている。近年においては、ＬＥＤ発光素子が安価となったので、ＬＥＤ発光素子を用いたものが提案されている。例えば、特許文献１には、ＬＥＤテープ体を照射方向で外向きにして周回させた基台と、その周縁を取り囲む透明体とを有する電飾パネルが記載されている（特許文献１参照）。この電飾パネルによれば、パネルの周縁部を光で縁取ることができるが、更に装飾性を高めることができれば、用途が広がり好ましい。【０００３】  近年、ＬＥＤにすることにより従来の電球バルブでは出来なかった薄型のテールランプを製作することが可能となった。また、テールランプには「無限鏡」「ＬＥＤブラックホール」「ＬＥＤホール」等様々な呼び名で知られているインフィニティミラーが採用されている。このインフィニティミラーの採用によって、光が奥まって見える立体感を示すことができる（特許文献２参照）。【０００４】  このようなインフィニティミラーを採用したテールランプに用いられている複数個のＬＥＤには砲弾型ＬＥＤが用いられている（非特許文献１参照）。この砲弾型ＬＥＤは反射カップで囲んでいるため集光しており、正面から見ると非常に輝いて見える効果がある（特許文献３参照）。
【先行技術文献】
【特許文献】
【０００５】
【特許文献１】特開２０１６−８５２６７号公報
【特許文献２】実用新案登録第３２１２５４５号公報
【特許文献３】実用新案登録第３１７９１１６号公報
【考案の概要】
【考案が解決しようとする課題】
【０００６】  本考案は、このような問題に基づきなされたものであり、部屋内のテーブル、テレビボード、マルチボードの家具、および壁掛け装飾具、天井装飾具より装飾性を高めることができる電飾パネルを提供することを目的とする。しかしながら、幻想的な映像を映すパネルも求められている。このＬＥＤランプは横から見ると輝きが若干弱くなってしまい、映像的に視野角が狭くなるという問題点が有る。この問題点を解消することがこの考案の課題である。またＬＥＤを使用したパネルが家具、装飾具に使用されていないし、また家庭内の装飾体ももとめられている。
【課題を解決するための手段】
【０００７】木製の角状部材を使用した枠体、又は厚平板に形状体を切り抜いた平板体と、前記枠体、又は前記平板体の裏面側に張設けられた反射板と、前記枠体、又は前記平板体の内側面に、テープに複数のＬＥＤ発光素子を配置されたＬＥＤテープを貼り付けて、前記枠体、又は前記平板体の表面側にマジックミラー板を設けられた開閉式の額縁状体になっている幻想的パネル体である。【０００８】木製の角状部材を使用した枠材、又は厚平板に形状体を切り抜いた平板材は、外形形状として多角形状、円形状、ハート状、星形状、文字形状の形状であって、厚さ２０〜１００ｍｍ、長さを３００〜１８００ｍｍであり、角材部材、及び平板材を２０〜１００ｍｍ厚さの無垢材、合板、ＭＤＦで使用されている。【０００９】前記枠体、又は平板体の表面に配設されている２〜７ｍｍ厚さのマジックミラー板を挟持できるように、前記マジックミラー板の表面側に重ねて配置された透明な挟持板を備え、前記マジックミラー板の裏面側に、乳白色のアクリル樹脂板である装飾板が配設され、記枠体、又は平板体の裏面には反射板として、２〜７ｍｍ厚さの鏡体を薄板上に貼り付けて構成されている。【００１０】  前記樹脂製テープにＬＥＤランプ球を１０〜５０ｍｍの間隔で取り付けた幅１０〜２０ｍｍの前記ＬＥＤテープは、前記枠体、切り抜き平板材の内部に幻想的な映像を映し出す配置に張り付けている。前記パネル体は、幻想な写影が投影されて効果を示すテーブル、テレビボード、マルチボードの家具、又は壁掛け装飾具、又は天井装飾具、又は建具に使用される。【００１１】  本考案の電飾パネルは、木製製の角状部材をジョイント部材で接続した外形が種々形状の枠体と、この枠体の裏面側に設けられた反射板と、枠体の内側面に設けられ、テープに複数のＬＥＤ発光素子が間隔をあけて配置されたＬＥＤテープと、枠体の表面側に設けられた開閉式の額縁と、この額縁に配設されたマジックミラー板とを備えたものである。
【考案の効果】
【００１２】  本考案の幻想的パネル体によれば、枠体の裏面側に反射板、表面側にマジックミラー板を設け、枠体の内側面にＬＥＤテープを設けるようにしたので、ＬＥＤ発光素子の光が反射板とマジックミラー板とで反射を繰り返し、光の枠が奥に向かって何重にも続き、幻想的に奥行きがあるように見せることができる。また、枠体を木製により構成するようにしたので、長時間連続使用をしても安定して動作させることができる。【００１３】  更に、反射板を薄板の少なくとも片面に鏡体が形成された木板により構成するようにすれば、軽量化することができ、取り扱いを容易とすることができる。加えて、マジックミラー板の表面側に挟持板を重ねて配置し、マジックミラー板と挟持板との間にポスターを挟持することができるようにすれば、枠体の周りを光の輪で何重にも囲むことができ、効果的に表示することができる。【００１４】  更にまた、ＬＥＤテープを枠体の角部において切り離し、配線で接続するようにすれば、角部においてＬＥＤテープが縒れて断線してしまうことを防止することができる。加えてまた、マジックミラー板の裏面側に、乳白色のアクリル板よりなる装飾板を設けるようにすれば、装飾板についても複数重ねて表示させることができる。
【図面の簡単な説明】
【００１５】
【図１】厚平板に形状体を切り抜いた平板体を使用した幻想的パネル体の構成を表す図である。Ａ：幻想パネル体の斜視図  Ｂ：マジックミラー板  Ｃ：形状体を切り抜いた平板体  Ｄ：鏡体（反射板）
【図２】木製の角状部材を使用した枠体を使用した幻想的パネル体を表す図である。Ａ：幻想パネル体の平面図  Ｂ：マジックミラー板  Ｃ：形状体を切り抜いた平板体  Ｄ：鏡体（反射板）
【図３】幻想的パネル体の断面構成を表す図である。Ａ：幻想パネル体の斜視図  Ｂ：平面図  Ｃ：構成する側面図  Ｄ：Ｂ−Ｂ線断面図、Ｅ：Ａ−Ａ線平面構成図
【図４】幻想的パネル体の変形の違い例を表す図である。Ａ：五角形  Ｂ：Ｌ字形  Ｃ：円形
【図５】幻想的パネル体を使用した製品群例を表す図である。Ａ：テーブル  Ｂ：建具の扉  Ｃ：円形壁掛け鏡  Ｄ：姿見鏡
【考案を実施するための形態】
【００１６】  以下、本考案の実施の形態について、図面を参照して詳細に説明する。
幻想的パネル体の構成を表す図を主体的に説明して、用途と形状などを解説する。
【実施例１】
【００１７】図２に示すように、木製の角状部材を使用した枠体と、前記枠体の裏面側に張設けられた反射板と、前記枠体、又は前記平板体の内側面に、テープに複数のＬＥＤ発光素子を配置されたＬＥＤテープを貼り付けて、前記枠体の表面側にマジックミラー板を設けられた開閉式の額縁状体になっている幻想的パネル体である。【００１８】木製の角状部材を使用した枠材は、外形形状として二種類の多角形状の形状であって、外枠体の枠材の厚さ２０ｍｍ、横長さ４００と横長さ６００ｍｍであり、図２Ｃに示すように外枠体の枠材の厚さ２０ｍｍ、横長さ１００と横長さ２００ｍｍで角材部材の２種類の枠体を製作して、２０ｍｍ厚さの無垢材を使用された。【００１９】図２のＢ，Ｃで示すように、前記外枠体の表面全体に配設されている３ｍｍ厚さのマジックミラー板体と鏡体を挟持できるように、前記マジックミラー板の表面側に重ねて配置された透明な挟持板を備え、前記マジックミラー板体の裏面側に、乳白色のアクリル樹脂板である装飾板が配設され、記外枠体、の裏面には反射板として、３ｍｍ厚さの鏡体を薄板上に貼り付けて構成された。【００２０】  前記樹脂製テープにＬＥＤランプ球を３０ｍｍの間隔で取り付けた幅１５ｍｍの前記ＬＥＤテープは、前記内枠体の内部側面に幻想的な映像を映し出す配置に張り付けた。前記パネル体は、幻想な写影が投影されて効果を示すテーブル、テレビボード、マルチボードの家具、又は壁掛け装飾具、又は天井装飾具、又は建具として、装飾材に使用された。【００２１】パネル体は、木製製の角状部材をジョイント部材で接続した外形が種々形状の枠体と、この枠体の裏面側に設けられた反射板と、枠体の内側面に設けられ、テープに複数のＬＥＤ発光素子が間隔をあけて配置されたＬＥＤテープと、枠体の表面側に設けられた開閉式のパネル体と、このパネル体に配設されたマジックミラー板とを備えたものであり、装飾材は内枠に沿って数か所のＬＥＤの種々の発色によって幻想的投影模様が得られた。
【実施例２】
【００２２】図１Ａに示すように、木製の厚平板に形状体を切り抜いた平板体と、前記平板体の裏面側に張設けられた反射板と、前記枠体、又は前記平板体の内側面に、テープに複数のＬＥＤ発光素子を配置されたＬＥＤテープを貼り付けて、前記枠体、又は前記平板体の表面側にマジックミラー板を設けられた開閉式の額縁状体になっている幻想的パネル体を製作した。【００２３】図１Ｃに示すように、木製厚平板に形状体を切り抜いた平板材は、外形形状として多角形状、であって、厚さ２５ｍｍ、縦長さを４００ｍｍ、横長さ６００ｍｍであり、平板材を２５ｍｍ厚さの無垢材で使用された。【００２４】前記平板体の表面に配設されている３ｍｍ厚さのマジックミラー板を挟持できるように、図１のＢ，Ｃの前記マジックミラー板の表面側に重ねて配置された透明な挟持板を備え、前記マジックミラー板の裏面側に、乳白色のアクリル樹脂板である装飾板が配設され、平板体の裏面には反射板の鏡体として、３ｍｍ厚さの鏡体を薄板上に貼り付けて構成された。【００２５】  前記樹脂製テープにＬＥＤランプ球を３０ｍｍの間隔で取り付けた幅２０ｍｍの前記ＬＥＤテープは、前記切り抜き平板材の内部に幻想的な映像を映し出す配置に張り付けた。前記パネル体は、幻想な写影が投影されて効果を示すテーブルに使用された。【００２６】  本考案のパネル体は、木製製の平板材の裏面側に設けられた反射板と、枠体の内側面に設けられ、テープに複数のＬＥＤ発光素子が間隔をあけて配置されたＬＥＤテープと、枠体の表面側に設けられた開閉式のパネル体と、このパネル体に配設されたマジックミラー板とを備えたものであり、テーブル家具の天板に使用された。
【実施例３】
【００２７】図１に示すように、木製の角状部材を使用した枠体と、前記枠体の裏面側に張設けられた反射板と、前記枠体、又は前記平板体の内側面に、テープに複数のＬＥＤ発光素子を配置されたＬＥＤテープを貼り付けて、前記枠体の表面側にマジックミラー板を設けられた開閉式の額縁状体になっている幻想的パネル体である。【００２８】木製の角状部材を使用した枠材は、外形形状として多角形状の形状であって、外枠体の枠材の厚さ２０ｍｍ、横長さ５００と横長さ８００ｍｍであり、図３Ｃに示すように外枠体の枠材の厚さ２０ｍｍ、横長さ５００と横長さ８００ｍｍで角材部材の枠体を製作して、２０ｍｍ厚さのＭＤＦを使用された。【００２９】図３Ｄ，Ｅで示すように、前記外枠体の表面全体に配設されている４ｍｍ厚さのマジックミラー板体と鏡体を挟持できるように、前記マジックミラー板の表面側に重ねて配置された透明な挟持板を備え、前記マジックミラー板体の裏面側に、乳白色のアクリル樹脂板である装飾板が配設され、記外枠体、の裏面には反射板として、４ｍｍ厚さの鏡体を薄板上に貼り付けて構成された。【００３０】  前記樹脂製テープにＬＥＤランプ球を４０ｍｍの間隔で取り付けた幅２０ｍｍの前記ＬＥＤテープは、前記内枠体の内部側面に幻想的な映像を映し出す配置に張り付けた。前記パネル体は、幻想な写影が投影されて効果を示す建具として、装飾材に使用された。【００３１】パネル体は、木製製の角状部材からなる枠体と、この枠体の裏面側に設けられた反射板と、枠体の内側面に設けられ、テープに複数のＬＥＤ発光素子が間隔をあけて配置されたＬＥＤテープと、枠体の表面側に設けられた開閉式のパネル体と、このパネル体に配設されたマジックミラー板とを備えたものであり、装飾材を持つ建具はＬＥＤの種々の発色によって幻想的投影模様が得られた。
【実施例４】
【００３２】図４に示すように木製の角状部材を使用した五角形、円形、Ｌ字形の枠体と、この枠体の裏面側に設けられた反射板と、前記枠体の内側面に、テープに複数のＬＥＤ発光素子を配置されたＬＥＤテープを張り付けて、前記枠体の表面側にマジックミラー板を設けられた開閉式の額縁とからなっている幻想的パネル体である。【００３３】前記枠体の表面に額縁を配設し、前記マジックミラー板を挟持できるように、前記マジックミラー板の表面側に重ねて配置された透明な挟持板を備え、前記マジックミラー板の裏面側に、乳白色のアクリル樹脂板である装飾板が配設され、記枠体の裏面には反射板として、鏡体を薄板上に貼り付けて構成された。【００３４】  前記樹脂製テープにＬＥＤランプ球を３０ｍｍの間隔で取り付けた前記ＬＥＤテープは、前記枠体の内部に幻想的な映像を映し出す配置に張り付けた。
前記パネル体は、テーブル、テレビボード、マルチボードの家具、および壁掛け装飾具に使用された。【００３５】  本考案のパネル体は、木製製の角状部材をジョイント部材で接続した外形が種々形状の枠体と、この枠体の裏面側に設けられた反射板と、枠体の内側面に設けられ、テープに複数のＬＥＤ発光素子が間隔をあけて配置されたＬＥＤテープと、枠体の表面側に設けられた開閉式の額縁状体に配設されたマジックミラー板とを備えた。
【実施例５】
【００３６】  図５は、本考案の一実施の形態に係る幻想パネル体の構成を表わす製品に関する物であり、Ａ：テーブル  Ｂ：建具の扉  Ｃ：円形壁掛け鏡  Ｄ：姿見鏡ものである。幻想パネル体を通電しない場合には鏡になっており、通電する場合は表面側から見た内部に幻想模様が映し出され、製品の外観構成を表わし、側面から見た外観構成を表わしている。電飾パネルの断面構成を表すものである。このパネル体は、枠体と、枠体の裏面側に設けられた反射板と、枠体の内側面に設けられたＬＥＤテープと、枠体の表面側に設けられた開閉式の額縁状体と、枠体の額縁に配設されたマジックミラー板とを備えおり、これにより、ＬＥＤテープからの光が反射板とマジックミラー板とで反射を繰り返し、光の枠が奥に向かって何重にも続いて奥行きがあるように見せることができるようになっている。【００３７】  ＬＥＤテープは、テープに複数のＬＥＤ発光素子が間隔をあけて配置されたものである。ＬＥＤテープは、枠体の角部においてテープが切り離され、配線で接続されていることが好ましい。角部においてＬＥＤテープが縒れて断線してしまうことを防止するためである。
【符号の説明】
【００３８】１…幻想パネル体、
２…枠体、
３…平板体、
４…マジックミラー板、
５…鏡体（反射板）、
６…ＬＥＤ発光素子テープ、
７…切込み部
８…内側面、
９…幻想映像、
１０…額縁体、
１１…裏板部、
１２…表部材、
１３…配線、
１４…幻想模様
１５…装飾板、
１６…挟持板
【図１】
0003219537.tif 000003
【図２】
0003219537.tif 000004
【図３】
0003219537.tif 000005
【図４】
0003219537.tif 000006
【図５】
0003219537.tif 000007
【手続補正書】
【提出日】平成30年10月11日(2018.10.11)
【手続補正１】
【補正対象書類名】実用新案登録請求の範囲
【補正対象項目名】全文
【補正方法】変更
【補正の内容】
【実用新案登録請求の範囲】
【請求項１】
木製の角状部材を使用した枠体、又は厚平板に形状体を切り抜いた平板体と、前記枠体、又は前記平板体の裏面側に張設けられた反射板と、前記枠体、又は前記平板体の内側面に、テープに複数のＬＥＤ発光素子を配置されたＬＥＤテープを貼り付けて、前記枠体、又は前記平板体の表面側にマジックミラー板を設けられた開閉式の額縁状体になっていることを特徴とする幻想的パネル体。
【請求項２】
木製の角状部材を使用した枠材、又は厚平板に形状体を切り抜いた平板材は、外形形状として多角形状、円形状、ハート状、星形状、文字形状の形状であって、厚さ２０〜１００ｍｍ、長さを３００〜１８００ｍｍであり、角状部材、及び平板材を２０〜１００ｍｍ厚さの無垢材、合板、ＭＤＦの中より選ばれた物を使用されていることを特徴とする請求項１に記載の幻想的パネル体。
【請求項３】
前記枠体、又は平板体の表面に配設されている２〜７ｍｍ厚さのマジックミラー板を挟持できるように、前記マジックミラー板の表面側に重ねて配置された透明な挟持板を備え、前記マジックミラー板の裏面側に、乳白色のアクリル樹脂板である装飾板が配設され、前記枠体、又は平板体の裏面には反射板として、２〜７ｍｍ厚さの鏡体を薄板上に貼り付けて構成されていることを特徴とする請求項１又は請求項２記載の幻想的パネル体。
【請求項４】
樹脂製テープにＬＥＤ発光素子のランプ球を１０〜５０ｍｍの間隔で取り付けた１０〜２０ｍｍの前記ＬＥＤテープは、前記枠体、又は切り抜いた平板体の内側面部に幻想的な映像を映し出すような配置に張り付けていることを特徴とする請求項１から請求項３のいずれか１に記載の幻想的パネル体。
【請求項５】
前記パネル体は、幻想な写影が投影されて効果を示すテーブル、テレビボード、マルチボードの家具、および壁掛け装飾具、天井装飾具、建具に使用されることを特徴とする請求項１から請求項４のいずれかに記載の幻想的パネル体。